(57)【要約】【課題】印刷効率の低下を抑制する。【解決手段】画像形成システム１００は、画像形成装置１と後処理装置２とを備える。画像形成装置１は、用紙Ｐに画像を形成し、後処理装置２に用紙Ｐを給送し、受付部１３１と、第１決定部１３４とを備える。受付部１３１は、後処理を伴う印刷ジョブを示す第１ジョブＪＢ１と、後処理を伴わない印刷ジョブを示す第２ジョブＪＢ２とを受け付ける。第１決定部１３４は、用紙Ｐの残枚数ＲＮと、後処理装置２におけるエラーの発生状況との少なくとも一方に基づいて、第１ジョブＪＢ１と第２ジョブＪＢ２との実行する順序を決定する。【選択図】図５
2019155723.tif 000002
【特許請求の範囲】
【請求項１】
記録媒体に画像を形成し、後処理装置に前記記録媒体を給送する画像形成装置であって、
後処理を伴う印刷ジョブを示す第１ジョブと、後処理を伴わない印刷ジョブを示す第２ジョブとを受け付ける受付部と、
前記記録媒体の残枚数と、前記後処理装置におけるエラーの発生状況との少なくとも一方に基づいて、前記第１ジョブと前記第２ジョブとの実行する順序を決定する第１決定部と
を備える、画像形成装置。
【請求項２】
前記記録媒体の残枚数が、前記第１ジョブの処理枚数と前記第２ジョブの処理枚数との和未満であるか否かを判定する第１判定部を更に備え、
前記第１決定部は、前記第１判定部の判定結果に基づいて、前記第１ジョブと前記第２ジョブとの実行する順序を決定する、請求項１に記載の画像形成装置。
【請求項３】
前記第１決定部は、前記記録媒体の残枚数と、前記第１ジョブの処理枚数と、前記第２ジョブの処理枚数とに基づいて、前記第１ジョブ及び前記第２ジョブの少なくとも一方の実行が完了するように、前記第１ジョブと前記第２ジョブとの実行する順序を決定する、請求項２に記載の画像形成装置。
【請求項４】
前記第１ジョブの実行の完了が不可であり、且つ前記第２ジョブの実行の完了が不可である場合には、前記第１決定部は、前記第２ジョブが前記第１ジョブよりも先に実行されるように、前記第１ジョブと前記第２ジョブとの実行する順序を決定する、請求項２又は請求項３に記載の画像形成装置。
【請求項５】
前記第１決定部は、前記第１ジョブと前記第２ジョブとを前記受付部が受け付けた順序に基づいて、前記第１ジョブと前記第２ジョブとの実行する順序を決定する、請求項１から請求項４のいずれか１項に記載の画像形成装置。
【請求項６】
前記後処理装置においてエラーが発生した場合に、前記第１決定部は、前記第２ジョブが前記第１ジョブよりも先に実行されるように、前記第１ジョブと前記第２ジョブとの実行する順序を決定する、請求項１から請求項５のいずれか１項に記載の画像形成装置。
【請求項７】
前記後処理装置は、ステープラーを備え、
前記第１ジョブが、ステープル処理を伴うジョブであり、
前記ステープラーの針の残数が前記第１ジョブのステープル処理に必要な前記ステープラーの針の個数より少ないか否かを判定する第２判定部を更に備え、
前記第１決定部は、前記第２判定部の判定結果に基づいて、前記第１ジョブと前記第２ジョブとの実行する順序を決定する、請求項１から請求項６のいずれか１項に記載の画像形成装置。
【請求項８】
第２決定部を更に備え、
前記後処理装置は、ステープラーを備え、
前記第１ジョブが、ステープル処理を伴うジョブであり、
前記第２決定部は、前記第１ジョブを実行中に、前記ステープラーの針が無い旨のエラーが発生した場合に、前記第１ジョブの実行が終了され、前記第２ジョブが実行されるように、前記第１ジョブと前記第２ジョブとの実行する順序を決定する、請求項１から請求項７のいずれか１項に記載の画像形成装置。
【請求項９】
画像形成装置と後処理装置とを備える画像形成システムであって、
前記画像形成装置は、記録媒体に画像を形成し、前記後処理装置に前記記録媒体を給送し、
後処理を伴う印刷ジョブを示す第１ジョブと、後処理を伴わない印刷ジョブを示す第２ジョブとを受け付ける受付部と、
前記記録媒体の残枚数と、前記後処理装置におけるエラーの発生状況との少なくとも一方に基づいて、前記第１ジョブと前記第２ジョブとの実行する順序を決定する第１決定部と
を備える、画像形成システム。
【発明の詳細な説明】
【技術分野】
【０００１】
本発明は、画像形成装置、及び画像形成システムに関する。
【背景技術】
【０００２】
特許文献１に記載の画像形成システムは、プリンターと、クライアントＰＣとを備える。プリンターは、画像形成部と後処理部とを備える。画像形成部は、用紙に画像を形成する。すなわち、画像形成部は、印刷処理を実行する。後処理部は、ステープル処理を実行する。クライアントＰＣは、プリンタードライバーの機能によって、１つの印刷ジョブに含まれるページの範囲を指定して、ステープル処理の条件を含む印刷条件を設定可能である。そして、クライアントＰＣは、設定された印刷条件に基づいて印刷ジョブの実行をプリンターに指示する。
【先行技術文献】
【特許文献】
【０００３】
【特許文献１】特開２０１４−１７８９９１号公報
【発明の概要】
【発明が解決しようとする課題】
【０００４】
しかしながら、特許文献１に記載の画像形成システムでは、ステープル処理を実行するページとステープル処理を実行しないページとが混在すると、印刷効率が低下する可能性がある。例えば、後処理部でエラーが発生した場合には、エラーが発生したページ以降の印刷ジョブは、エラーが解消まで実行することができない。
【０００５】
本発明は、上記課題に鑑みてなされたものであり、印刷効率の低下を抑制可能な画像形成装置、及び画像形成システムを提供することを目的としている。
【課題を解決するための手段】
【０００６】
本発明に係る画像形成装置は、記録媒体に画像を形成し、後処理装置に前記記録媒体を給送する。前記画像形成装置は、受付部と、第１決定部とを備える。前記受付部は、後処理を伴う印刷ジョブを示す第１ジョブと、後処理を伴わない印刷ジョブを示す第２ジョブとを受け付ける。前記第１決定部は、前記記録媒体の残枚数と、前記後処理装置におけるエラーの発生状況との少なくとも一方に基づいて、前記第１ジョブと前記第２ジョブとの実行する順序を決定する。
【０００７】
本発明に係る画像形成システムは、画像形成装置と後処理装置とを備える。前記画像形成装置は、記録媒体に画像を形成し、前記後処理装置に前記記録媒体を給送する。前記画像形成装置は、受付部と、第１決定部とを備える。前記受付部は、後処理を伴う印刷ジョブを示す第１ジョブと、後処理を伴わない印刷ジョブを示す第２ジョブとを受け付ける。前記第１決定部は、前記記録媒体の残枚数と、前記後処理装置におけるエラーの発生状況との少なくとも一方に基づいて、前記第１ジョブと前記第２ジョブとの実行する順序を決定する。
【発明の効果】
【０００８】
本発明に係る画像形成装置、及び画像形成システムによれば、印刷効率の低下を抑制できる。
【図面の簡単な説明】
【０００９】
【図１】本発明の実施形態に係る画像形成システムの構成の一例を示す図である。
【図２】本発明の実施形態に係る画像形成装置の構成の一例を示す図である。
【図３】本発明の実施形態に係る後処理装置の構成の一例を示す図である。
【図４】印刷ジョブの受付順と実行順との一例を示す図である。
【図５】本発明の実施形態に係る第１制御部の構成の一例を示す図である。
【図６】印刷ジョブの受付順と実行順との一例を示す図である。
【図７】印刷ジョブの受付順と実行順との一例を示す図である。
【図８】印刷ジョブの受付順と実行順との一例を示す図である。
【図９】第１制御部の処理の一例を示すフローチャートである。
【図１０】第１制御部の処理の一例を示すフローチャートである。
【図１１】印刷ジョブの受付順と実行順との一例を示す図である。
【発明を実施するための形態】
【００１０】
以下、本発明の実施形態について、図面（図１〜図１１）を参照しながら説明する。なお、図中、同一又は相当部分については同一の参照符号を付して説明を繰り返さない。
【００１１】
まず、図１を参照して画像形成システム１００の構成について説明する。図１は、本発明の実施形態に係る画像形成システム１００の構成を示す図である。図１に示すように、画像形成システム１００は、画像形成装置１と後処理装置２とを備える。
【００１２】
画像形成装置１は、用紙Ｐに画像を形成する。用紙Ｐは、「記録媒体」の一例に相当する。画像形成装置１は、後処理装置２と通信可能に接続される。
【００１３】
後処理装置２は、画像形成装置１によって画像が形成された用紙Ｐに対して後処理を施す。後処理は、例えば、パンチ処理とステープル処理と中折り処理とを含む。
【００１４】
次に、図１及び図２を参照して、本発明の実施形態に係る画像形成装置１について説明する。図２は、画像形成装置１の構成を示す図である。図２に示すように、画像形成装置１は、カラー複合機である。画像形成装置１は、いわゆる、「電子写真方式」で用紙Ｐ（記録媒体）に画像を形成する。
【００１５】
画像形成装置１は、給送カセット１１、画像形成部１２、第１制御部１３、排出部１４及び中間搬送経路１５を備える。
【００１６】
給送カセット１１は、用紙Ｐを画像形成部１２へ供給する。画像形成部１２は、用紙Ｐに画像を形成する。中間搬送経路１５は、用紙Ｐを排出部１４に給送する。排出部１４は、用紙Ｐを後処理装置２に送出する。画像形成部１２によって画像が形成された用紙Ｐは、用紙Ｐに形成された画像を用紙Ｐに定着した後、中間搬送経路１５を経由して、排出部１４によって後処理装置２に送出される。
【００１７】
第１制御部１３は、プロセッサー１３Ａ及び記憶部１３Ｂを備える。プロセッサー１３Ａは、例えばＣＰＵ（Ｃｅｎｔｒａｌ  Ｐｒｏｃｅｓｓｉｎｇ  Ｕｎｉｔ）を備える。記憶部１３Ｂは、半導体メモリーのようなメモリーを備え、ＨＤＤ（Ｈａｒｄ  Ｄｉｓｋ  Ｄｒｉｖｅ）を備えてもよい。記憶部１３Ｂは、制御プログラムを記憶している。
【００１８】
次に、図１〜図３を参照して、本発明の実施形態に係る後処理装置２の構成について説明する。図３は、後処理装置２の構成を示す図である。後処理装置２は、後処理搬送部２１、パンチャー２２、退避ドラム２３、ステープラー２４、第１後処理排出部２５、第２後処理排出部２６、中折り処理部２７及び第２制御部２８を備える。
【００１９】
後処理搬送部２１は、搬送ローラー対２１１を備え、画像形成装置１から排出された用紙Ｐを、パンチャー２２を経由して第１後処理排出部２５又は第２後処理排出部２６へ向けて搬送する。搬送ローラー対２１１は、用紙Ｐをパンチャー２２に向けて搬送する。また、ステープル処理及び中折り処理を実行しない場合には、後処理搬送部２１は用紙Ｐを第１後処理排出部２５に向けて搬送する。ステープル処理を実行する場合には、後処理搬送部２１は用紙Ｐを第２後処理排出部２６に向けて搬送する。中折り処理を実行する場合には、後処理搬送部２１は用紙Ｐを中折り処理部２７に向けて搬送する。
【００２０】
パンチャー２２は、搬送ローラー対２１１による用紙Ｐの搬送に応じて用紙Ｐを穿孔する。パンチャー２２は、穿孔パターンに応じて用紙Ｐに対して穿孔処理を行う。穿孔個数は、用紙Ｐに対して実行する穿孔動作の回数を示す。穿孔動作の回数は、用紙Ｐに形成されるパンチ穴の個数に対応する。
【００２１】
退避ドラム２３は、ステープラー２４によってステープル処理が実行される用紙Ｐと中折り処理部２７によって中折り処理が実行される用紙Ｐとを一時的に退避させる。退避ドラム２３は、ステープラー２４及び中折り処理部２７への用紙Ｐの搬送タイミングを調整する。
【００２２】
ステープラー２４は、退避ドラム２３から搬送された複数枚の用紙Ｐの束にステープル処理を行う。
【００２３】
第１後処理排出部２５は、第１排出ローラー対２５１及び第１排出トレイ２５２を備える。第１排出ローラー対２５１は、用紙Ｐを第１排出トレイ２５２へ排出する。
【００２４】
第２後処理排出部２６は、第２排出ローラー対２６１及び第２排出トレイ２６２を備える。第２排出ローラー対２６１は、ステープラー２４によってステープル処理が施された複数枚の用紙Ｐの束を第２排出トレイ２６２へ排出する。
【００２５】
中折り処理部２７は、第３排出トレイ２７１を備える。中折り処理部２７は、退避ドラム２３から搬送された複数枚の用紙Ｐの束に中折り処理を行い、中折り処理が施された複数枚の用紙Ｐの束を第３排出トレイ２７１へ排出する。
【００２６】
第２制御部２８は、プロセッサー２８Ａ及び記憶部２８Ｂを備える。プロセッサー２８Ａは、例えばＣＰＵ（Ｃｅｎｔｒａｌ  Ｐｒｏｃｅｓｓｉｎｇ  Ｕｎｉｔ）を備える。記憶部２８Ｂは、半導体メモリーのようなメモリーを備える。記憶部２８Ｂは、制御プログラムを記憶している。第２制御部２８は、後処理装置２の動作を制御する。また、第２制御部２８は、後処理装置２におけるエラーの発生状況を第１制御部１３へ送信する。
【００２７】
次に、図１〜図４を参照して、第１制御部１３の処理について説明する。図４は、印刷ジョブＪＢの受付順と実行順との一例を示す図である。図４の上段は、印刷ジョブＪＢの受付順を示す。印刷ジョブＪＢは、第１ジョブＪＢ１と第２ジョブＪＢ２とを含む。第１ジョブＪＢ１は、後処理を伴う印刷ジョブを示す。第２ジョブＪＢ２は、後処理を伴わない印刷ジョブを示す。
【００２８】
図４の上段のジョブ欄に示すように、印刷ジョブＪＢは、ジョブＪＢ１１と、ジョブＪＢ１２と、ジョブＪＢ１３とから構成される。受付順欄に示すように、第１制御部１３は、ジョブＪＢ１１、ジョブＪＢ１２及びジョブＪＢ１３をこの順序で受け付ける。種別欄に示すように、ジョブＪＢ１１とジョブＪＢ１２とは、第１ジョブＪＢ１であり、ジョブＪＢ１３は、第２ジョブＪＢ２である。枚数欄に示すように、ジョブＪＢ１１の処理枚数は、３０枚であり、ジョブＪＢ１２の処理枚数は、２０枚であり、ジョブＪＢ１３の処理枚数は、１０枚である。
【００２９】
図４では、給送カセット１１の残枚数ＲＮは４０枚である。残枚数ＲＮは、給送カセット１１に収納された用紙Ｐの枚数を示す。
【００３０】
図４の下段は、印刷ジョブＪＢの実行順を示す。第１制御部１３は、用紙Ｐの残枚数ＲＮに基づいて、ジョブＪＢ１１〜ジョブＪＢ１３を実行する順序を決定する。図４の下段の実行順欄に示すように、第１制御部１３は、ジョブＪＢ１１、ジョブＪＢ１３及びジョブＪＢ１２の順に実行されるように、ジョブＪＢ１１〜ジョブＪＢ１３を実行する順序を決定する。
【００３１】
ジョブＪＢ１１、ジョブＪＢ１３及びジョブＪＢ１２の順に実行されるように、第１制御部１３が、ジョブＪＢ１１〜ジョブＪＢ１３を実行する順序を決定するため、図４の下段の完了欄に示すように、ジョブＪＢ１１とジョブＪＢ１３とは実行が完了し、ジョブＪＢ１２は実行されない。図４の下段の完了欄の丸印は、印刷ジョブＪＢの実行が完了することを示し、バツ印は、印刷ジョブＪＢが実行されないことを示す。
【００３２】
次に、図１〜図５を参照して、本発明の実施形態に係る第１制御部１３の構成について説明する。図５は、第１制御部１３の構成の一例を示す図である。図５に示すように、画像形成装置１は、パーソナルコンピューター２００と通信可能に接続される。また、第１制御部１３は、受付部１３１、第１判定部１３２、第２判定部１３３、第１決定部１３４及び第２決定部１３５を備える。具体的には、第１制御部１３のプロセッサー１３Ａが制御プログラムを実行することによって、受付部１３１、第１判定部１３２、第２判定部１３３、第１決定部１３４及び第２決定部１３５として機能する。
【００３３】
受付部１３１は、パーソナルコンピューター２００から第１ジョブＪＢ１と第２ジョブＪＢ２とを受け付ける。
【００３４】
第１判定部１３２は、用紙Ｐの残枚数ＲＮが、第１ジョブＪＢ１の処理枚数Ｎ１と第２ジョブＪＢ２の処理枚数Ｎ２との和未満であるか否かを判定する。
【００３５】
第１決定部１３４は、用紙Ｐの残枚数ＲＮと、後処理装置２におけるエラーの発生状況との少なくとも一方に基づいて、第１ジョブＪＢ１と第２ジョブＪＢ２との実行する順序を決定する。具体的には、第１決定部１３４は、第１判定部１３２の判定結果に基づいて、第１ジョブＪＢ１と第２ジョブＪＢ２との実行する順序を決定する。更に具体的には、第１決定部１３４は、用紙Ｐの残枚数ＲＮと、第１ジョブＪＢ１の処理枚数Ｎ１と、第２ジョブＪＢ２の処理枚数Ｎ２とに基づいて、第１ジョブＪＢ１及び第２ジョブＪＢ２の少なくとも一方の実行が完了するように、第１ジョブＪＢ１と第２ジョブＪＢ２との実行する順序を決定する。第１決定部１３４については、後述にて図６及び図７を参照して更に説明する。
【００３６】
図４を参照して説明したように、第１決定部１３４は、例えば、ジョブＪＢ１１、ジョブＪＢ１３及びジョブＪＢ１２の順に実行されるように、ジョブＪＢ１１〜ジョブＪＢ１３を実行する順序を決定する。このようにジョブＪＢ１１〜ジョブＪＢ１３を実行する順序を決定することによって、ジョブＪＢ１１とジョブＪＢ１３とは実行が完了する。
【００３７】
第２判定部１３３は、ステープラー２４の針の残数ＲＭが第１ジョブＪＢ１のステープル処理に必要なステープラー２４の針の個数ＮＭより少ないか否かを判定する。第１ジョブＪＢ１は、ステープル処理を伴うジョブである。
【００３８】
また、第１決定部１３４は、第２判定部１３３の判定結果に基づいて、第１ジョブＪＢ１と第２ジョブＪＢ２との実行する順序を決定する。
【００３９】
第２決定部１３５は、第１ジョブＪＢ１を実行中に、ステープラー２４の針が無い旨のエラーが発生した場合に、第１ジョブＪＢ１の実行が終了され、第２ジョブＪＢ２が実行されるように、第１ジョブＪＢ１と第２ジョブＪＢ２との実行する順序を決定する。第１ジョブＪＢ１は、ステープル処理を伴うジョブである。第２決定部１３５については、後述にて図８を参照して詳細に説明する。
【００４０】
以上、図１〜図５を参照して説明したように、本発明の実施形態では、用紙Ｐの残枚数ＲＮが、第１ジョブＪＢ１の処理枚数Ｎ１と第２ジョブＪＢ２の処理枚数Ｎ２との和未満であるか否かを判定し、その判定結果に基づいて、第１ジョブＪＢ１と第２ジョブＪＢ２との実行する順序を決定する。よって、第１ジョブＪＢ１と第２ジョブＪＢ２との実行する順序を適正に決定できる。したがって、画像形成装置１の印刷効率の低下を抑制できる。
【００４１】
また、第１ジョブＪＢ１及び第２ジョブＪＢ２の少なくとも一方の実行が完了するように、第１ジョブＪＢ１と第２ジョブＪＢ２との実行する順序を決定する。よって、第１ジョブＪＢ１と第２ジョブＪＢ２との実行する順序を更に適正に決定できる。したがって、画像形成装置１の印刷効率の低下を更に抑制できる。
【００４２】
以下に、図１〜図５を参照して、ステープラー２４の針の残数ＲＭに関する第１制御部１３の処理について説明する。例えば、図４の上段に示すように、受付部１３１が、ジョブＪＢ１１と、ジョブＪＢ１２と、ジョブＪＢ１３とを受け付け、ステープラー２４の針の残数ＲＭが８個である場合について以下に説明する。なお、給送カセット１１の残枚数ＲＮは、例えば、１００枚である。ジョブＪＢ１１とジョブＪＢ１２とは、ステープル処理を伴うジョブであり、５枚毎にステープル処理を実行するジョブである。
【００４３】
ジョブＪＢ１１は、処理枚数が３０枚であるため、ジョブＪＢ１１のステープル処理に必要なステープラー２４の針の個数ＮＭは６個（＝３０÷５）である。ジョブＪＢ１２は、処理枚数が２０枚であるため、ジョブＪＢ１１のステープル処理に必要なステープラー２４の針の個数ＮＭは４個（＝２０÷５）である。したがって、第２判定部１３３は、ステープラー２４の針の残数ＲＭがジョブＪＢ１１のステープル処理に必要なステープラー２４の針の個数ＮＭ（６個）より少なくはないと判定する。また、第２判定部１３３は、ステープラー２４の針の残数ＲＭが第１ジョブＪＢ１（ジョブＪＢ１１とジョブＪＢ１２と）のステープル処理に必要なステープラー２４の針の個数ＮＭ（１０個＝６個＋４個）より少ないと判定する。
【００４４】
そこで、第１決定部１３４は、第２判定部１３３の判定結果に基づいて、第１ジョブＪＢ１と第２ジョブＪＢ２との実行する順序を、図４の下段に示すように決定する。すなわち、第１決定部１３４は、ジョブＪＢ１１、ジョブＪＢ１３及びジョブＪＢ１２の順に実行されるように、ジョブＪＢ１１〜ジョブＪＢ１３を実行する順序を決定する。このようにジョブＪＢ１１〜ジョブＪＢ１３を実行する順序を決定することによって、ジョブＪＢ１１とジョブＪＢ１３とは実行が完了する。また、ジョブＪＢ１２は実行されない。ジョブＪＢ１２を実行中に、ステープラー２４の針が無い状態が発生し、ジョブＪＢ１２が中止されることを回避するためである。
【００４５】
以上、図１〜図５を参照して説明したように、ステープラー２４の針の残数ＲＭが第１ジョブＪＢ１の処理枚数Ｎ１より少ないか否かを判定し、その判定結果に基づいて、第１ジョブＪＢ１と第２ジョブＪＢ２との実行する順序を決定する。よって、第１ジョブＪＢ１と第２ジョブＪＢ２との実行する順序を更に適正に決定できる。したがって、画像形成装置１の印刷効率の低下を更に抑制できる。
【００４６】
次に、図１〜図３、図５及び図６を参照して、第１制御部１３の処理について更に説明する。図６は、印刷ジョブＪＢの受付順と実行順との一例を示す図である。図６の上段は、印刷ジョブＪＢの受付順を示す。印刷ジョブＪＢは、第１ジョブＪＢ１と第２ジョブＪＢ２とを含む。
【００４７】
図６の上段のジョブ欄に示すように、印刷ジョブＪＢは、ジョブＪＢ２１と、ジョブＪＢ２２と、ジョブＪＢ２３とから構成される。受付順欄に示すように、受付部１３１は、ジョブＪＢ２１、ジョブＪＢ２２及びジョブＪＢ２３をこの順序で受け付ける。種別欄に示すように、ジョブＪＢ２１とジョブＪＢ２２とは、第１ジョブＪＢ１であり、ジョブＪＢ２３は、第２ジョブＪＢ２である。枚数欄に示すように、ジョブＪＢ２１の処理枚数は、３０枚であり、ジョブＪＢ２２の処理枚数は、２０枚であり、ジョブＪＢ２３の処理枚数は、２０枚である。
【００４８】
図６では、給送カセット１１の残枚数ＲＮは４０枚である。
【００４９】
第１決定部１３４は、第１ジョブＪＢ１と第２ジョブＪＢ２とを受付部１３１が受け付けた順序に基づいて、第１ジョブＪＢ１と第２ジョブＪＢ２との実行する順序を決定する。例えば、受付部１３１が受け付けた順序に基づいて、第１決定部１３４は、ジョブＪＢ２１の実行する順序を１番目に決定する。
【００５０】
また、第１ジョブＪＢ１の実行の完了が不可であり、且つ第２ジョブＪＢ２の実行の完了が不可である場合には、第１決定部１３４は、第２ジョブＪＢ２が第１ジョブＪＢ１よりも先に実行されるように、第１ジョブＪＢ１と第２ジョブＪＢ２との実行する順序を決定する。
【００５１】
例えば、ジョブＪＢ２１が実行された後の用紙Ｐの残枚数ＲＮは１０枚（＝４０枚−３０枚）である。また、ジョブＪＢ２２の処理枚数は、２０枚であり、ジョブＪＢ２３の処理枚数は、２０枚である。よって、ジョブＪＢ２２の実行の完了が不可であり、且つジョブＪＢ２３の実行の完了が不可である。そこで、第１決定部１３４は、ジョブＪＢ２３（第２ジョブＪＢ２）がジョブＪＢ２２（第１ジョブＪＢ１）よりも先に実行されるように、ジョブＪＢ２３とジョブＪＢ２２との実行する順序を決定する。すなわち、第１決定部１３４は、ジョブＪＢ２１の後にジョブＪＢ２２を実行するように、第１ジョブＪＢ１と第２ジョブＪＢ２との実行する順序を決定する。
【００５２】
図６の下段は、印刷ジョブＪＢの実行順を示す。図６の下段の実行順欄に示すように、第１決定部１３４は、ジョブＪＢ２１、ジョブＪＢ２３及びジョブＪＢ２２の順に実行されるように、ジョブＪＢ２１〜ジョブＪＢ２３を実行する順序を決定する。
【００５３】
ジョブＪＢ２１、ジョブＪＢ２３及びジョブＪＢ２２の順に実行されるように、第１制御部１３が、ジョブＪＢ２１〜ジョブＪＢ２３を実行する順序を決定するため、図６の下段の完了欄に示すように、ジョブＪＢ２１は実行が完了し、ジョブＪＢ２３は実行途中（処理枚数２０枚中１０枚完了）で終了し、ジョブＪＢ２２は実行されない。
【００５４】
以上、図１〜図３、図５及び図６を参照して説明したように、本発明の実施形態では、第１ジョブＪＢ１と第２ジョブＪＢ２とを受付部１３１が受け付けた順序に基づいて、第１ジョブＪＢ１と第２ジョブＪＢ２との実行する順序を決定する。したがって、第１ジョブＪＢ１と第２ジョブＪＢ２との実行する順序を更に適正に決定できる。
【００５５】
また、第１ジョブＪＢ１の実行の完了が不可であり、且つ第２ジョブＪＢ２の実行が不可である場合には、第２ジョブＪＢ２が第１ジョブＪＢ１よりも先に実行されるように、第１ジョブＪＢ１と第２ジョブＪＢ２との実行する順序を決定する。よって、第１ジョブＪＢ１がその実行途中で中断されることを回避できる。したがって、第１ジョブＪＢ１と第２ジョブＪＢ２との実行する順序を更に適正に決定できる。
【００５６】
次に、図１〜図３、図５及び図７を参照して、第１制御部１３の処理について更に説明する。図７は、印刷ジョブＪＢの受付順と実行順との一例を示す図である。図７の上段は、印刷ジョブＪＢの受付順を示す。印刷ジョブＪＢは、第１ジョブＪＢ１と第２ジョブＪＢ２とを含む。
【００５７】
図７の上段のジョブ欄に示すように、印刷ジョブＪＢは、ジョブＪＢ４１と、ジョブＪＢ４２と、ジョブＪＢ４３とから構成される。受付順欄に示すように、第１制御部１３は、ジョブＪＢ４１、ジョブＪＢ４２及びジョブＪＢ４３をこの順序で受け付ける。種別欄に示すように、ジョブＪＢ４１とジョブＪＢ４２とは、第１ジョブＪＢ１であり、ジョブＪＢ４３は、第２ジョブＪＢ２である。
【００５８】
図７では、後処理装置２内でジャムが発生している。第２制御部２８は、後処理装置２においてジャムが発生した旨を第１制御部１３へ送信する。後処理装置２においてジャムが発生した場合に、第１決定部１３４は、第２ジョブＪＢ２が第１ジョブＪＢ１よりも先に実行されるように、第１ジョブＪＢ１と第２ジョブＪＢ２との実行する順序を決定する。
【００５９】
具体的には、第１決定部１３４は、図７の下段に示すように印刷ジョブＪＢの実行順を決定する。すなわち、図７の下段の実行順欄に示すように、第１決定部１３４は、ジョブＪＢ４３、ジョブＪＢ４１及びジョブＪＢ４２の順に実行されるように、ジョブＪＢ４１〜ジョブＪＢ４３を実行する順序を決定する。
【００６０】
以上、図１〜図３、図５及び図７を参照して説明したように、本発明の実施形態では、後処理装置２においてエラー（例えば、ジャム）が発生した場合に、第２ジョブＪＢ２が第１ジョブＪＢ１よりも先に実行されるように、第１ジョブＪＢ１と第２ジョブＪＢ２との実行する順序を決定する。そこで、後処理装置２においてエラーが解消されなくても、第２ジョブＪＢ２を実行できる。よって、第１ジョブＪＢ１と第２ジョブＪＢ２との実行する順序を更に適正に決定できる。したがって、画像形成装置１の印刷効率の低下を更に抑制できる。
【００６１】
なお、本発明の実施形態では、後処理装置２においてジャムが発生した場合について説明したが、本発明はこれに限定されない。後処理装置２においてエラーが発生した場合であればよい。例えば、後処理装置２において故障が発生している場合でもよい。具体的には、図３に示す退避ドラム２３の故障が発生している場合でもよい。
【００６２】
次に、図１〜図３、図５及び図８を参照して、第１制御部１３の処理について更に説明する。図８は、印刷ジョブＪＢの受付順と実行順との一例を示す図である。図８の上段は、印刷ジョブＪＢの受付順を示す。印刷ジョブＪＢは、第１ジョブＪＢ１と第２ジョブＪＢ２とを含む。
【００６３】
図８の上段のジョブ欄に示すように、印刷ジョブＪＢは、ジョブＪＢ３１と、ジョブＪＢ３２と、ジョブＪＢ３３とから構成される。受付順欄に示すように、受付部１３１は、ジョブＪＢ３１、ジョブＪＢ３２及びジョブＪＢ３３をこの順序で受け付ける。種別欄に示すように、ジョブＪＢ３１とジョブＪＢ３２とは、第１ジョブＪＢ１であり、ジョブＪＢ３３は、第２ジョブＪＢ２である。後処理欄に示すように、ジョブＪＢ３１の後処理はステープル処理であり、ジョブＪＢ３２の後処理は中折り処理である。
【００６４】
図８では、ジョブＪＢ３１を実行中に、後処理装置２においてステープラー２４の針が無い旨のエラーが発生している。第２制御部２８は、後処理装置２においてステープラー２４の針が無い旨のエラーを第１制御部１３へ送信する。ステープラー２４の針が無い旨のエラーが発生した場合に、第２決定部１３５は、ステープル処理を伴う第１ジョブＪＢ１の実行が中断され、ステープル処理を伴わない第１ジョブＪＢ１又は第２ジョブＪＢ２が実行されるように決定する。
【００６５】
具体的には、第１決定部１３４は、図８の下段に示すように印刷ジョブＪＢの実行順を決定する。すなわち、図８の下段の実行順欄に示すように、第２決定部１３５は、ジョブＪＢ３２、ジョブＪＢ３３及びジョブＪＢ３１の順に実行されるように、ジョブＪＢ３１〜ジョブＪＢ３３を実行する順序を決定する。
【００６６】
以上、図１〜図３、図５及び図８を参照して説明したように、本発明の実施形態では、第１ジョブＪＢ１を実行中に、ステープラー２４の針が無い旨のエラーが発生した場合に、第１ジョブＪＢ１の実行が中断され、第２ジョブＪＢ２が実行されるように第１ジョブＪＢ１と第２ジョブＪＢ２とを実行する順序を決定する。そこで、ステープラー２４の針が無い旨のエラーが発生した場合であっても、第２ジョブＪＢ２の実行を完了できる。よって、第１ジョブＪＢ１と第２ジョブＪＢ２との実行する順序を更に適正に決定できる。したがって、画像形成装置１の印刷効率の低下を更に抑制できる。
【００６７】
また、第１ジョブＪＢ１を実行中に、ステープラー２４の針が無い旨のエラーが発生した場合に、第２決定部１３５は、以下の処理を行う。すなわち、ステープル処理を伴う第１ジョブＪＢ１（ジョブＪＢ３１）の実行が終了され、ステープル処理を伴わない第１ジョブＪＢ１（ジョブＪＢ３２）と第２ジョブＪＢ２（ジョブＪＢ３３）とが実行されるように、第１ジョブＪＢ１と第２ジョブＪＢ２との実行する順序を決定する。そこで、ステープラー２４の針が無い旨のエラーが発生した場合であっても、ステープル処理を伴わない第１ジョブＪＢ１（ジョブＪＢ３２）の実行を完了できる。よって、第１ジョブＪＢ１と第２ジョブＪＢ２との実行する順序を更に適正に決定できる。したがって、画像形成装置１の印刷効率の低下を更に抑制できる。
【００６８】
なお、本発明の実施形態では、ステープラー２４の針が無い旨のエラーが発生した場合について説明したが、本発明は、これに限定されない。例えば、パンチャー２２のパンチ屑が満杯である旨のエラーが発生した場合でもよい。この場合には、後処理装置２において穿孔処理を実行できないが、ステープル処理及び中折り処理を実行できる。
【００６９】
次に、図１〜図３、図５、図９及び図１０を参照して、第１制御部１３の処理について更に説明する。図９及び図１０の各々は、第１制御部１３の処理の一例を示すフローチャートである。
図９に示すように、まず、ステップＳ１０１において、受付部１３１は、パーソナルコンピューター２００から印刷ジョブＪＢを受け付けたか否かを判定する。印刷ジョブＪＢは、第１ジョブＪＢ１と第２ジョブＪＢ２とを含む。
パーソナルコンピューター２００から印刷ジョブＪＢを受け付けていないと受付部１３１が判定した場合（ステップＳ１０１でＮＯ）には、処理が待機状態になる。パーソナルコンピューター２００から印刷ジョブＪＢを受け付けたと受付部１３１が判定した場合（ステップＳ１０１でＹＥＳ）には、処理がステップＳ１０３に進む。
そして、ステップＳ１０３において、第１制御部１３は、後処理装置２においてエラーが発生しているか否かを判定する。具体的には、第１制御部１３は、後処理装置２の第２制御部２８からエラーの発生状況を受信して、後処理装置２においてエラーが発生しているか否かを判定する。
後処理装置２においてエラーが発生していると第１制御部１３が判定した場合（ステップＳ１０３でＹＥＳ）には、処理が図１０に示すステップＳ１２１に進む。後処理装置２においてエラーが発生していないと第１制御部１３が判定した場合（ステップＳ１０３でＮＯ）には、処理がステップＳ１０５に進む。
【００７０】
そして、ステップＳ１０５において、第１判定部１３２が、受付部１３１が受け付けた各印刷ジョブＪＢの処理枚数ＪＮを取得する。
次に、ステップＳ１０７において、第１判定部１３２が、用紙Ｐの残枚数ＲＮを取得する。
次に、ステップＳ１０９において、第１判定部１３２が、受付部１３１が受け付けた全ての印刷ジョブＪＢを実行可能であるか否かを判定する。具体的には、第１判定部１３２は、全ての印刷ジョブＪＢの処理枚数ＪＮの和が用紙Ｐの残枚数ＲＮ以上であるか否かを判定することによって、全ての印刷ジョブＪＢを実行可能であるか否かを判定する。
受付部１３１が受け付けた全ての印刷ジョブＪＢを実行可能であると第１判定部１３２が判定した場合（ステップＳ１０９でＹＥＳ）には、処理がステップＳ１１１に進む。
そして、ステップＳ１１１において、第１制御部１３が、受付順に各印刷ジョブＪＢを実行し、処理が終了する。
受付部１３１が受け付けた全ての印刷ジョブＪＢを実行可能ではないと第１判定部１３２が判定した場合（ステップＳ１０９でＮＯ）には、処理がステップＳ１１３に進む。
そして、ステップＳ１１３において、第１決定部１３４は、全ての印刷ジョブＪＢのうち、実行可能な印刷ジョブＪＢを選択する。
【００７１】
次に、ステップＳ１１５において、第１決定部１３４は、実行可能な印刷ジョブＪＢが複数個あるか否かを判定する。
実行可能な印刷ジョブＪＢが複数個あると第１決定部１３４が判定した場合（ステップＳ１１５でＹＥＳ）には、処理がステップＳ１１７に進む。
そして、ステップＳ１１７において、第１決定部１３４は、受付順の早い印刷ジョブＪＢを優先して実行するように、各印刷ジョブＪＢを実行する順序を決定し、第１制御部１３が、第１決定部１３４が決定した順序に応じて印刷ジョブＪＢを実行し、処理が終了する。
実行可能な印刷ジョブＪＢが複数個はないと第１決定部１３４が判定した場合（ステップＳ１１５でＮＯ）には、処理がステップＳ１１９に進む。
そして、ステップＳ１１９において、第１決定部１３４は、実行可能な印刷ジョブＪＢを優先して実行するように、各印刷ジョブＪＢを実行する順序を決定し、第１制御部１３が、第１決定部１３４が決定した順序に応じて印刷ジョブＪＢを実行し、処理が終了する。
【００７２】
ステップＳ１０３でＹＥＳの場合には、図１０に示すように、ステップＳ１２１において、第１制御部１３が、ステープラー２４の針が無い旨のエラーが発生しているか否かを判定する。
ステープラー２４の針が無い旨のエラーが発生していると第１制御部１３が判定した場合（ステップＳ１２１でＹＥＳ）には、処理がステップＳ１２３に進む。
そして、ステップＳ１２３において、第１決定部１３４は、ステープル処理を伴う第１ジョブＪＢ１を実行する順序が最後になるように印刷ジョブＪＢを実行する順序を決定して、第１制御部１３が各印刷ジョブＪＢを実行して処理が終了する。
ステープラー２４の針が無い旨のエラーが発生していないと第１制御部１３が判定した場合（ステップＳ１２１でＮＯ）には、処理がステップＳ１２５に進む。
そして、ステップＳ１２５において、第１制御部１３が、後処理装置２におけるジャムの発生を示すエラーが発生しているか否かを判定する。
【００７３】
後処理装置２におけるジャムの発生を示すエラーが発生していると第１制御部１３が判定した場合（ステップＳ１２５でＹＥＳ）には、処理がステップＳ１２７に進む。
そして、ステップＳ１２７において、第１決定部１３４は、第２ジョブＪＢ２を優先して実行するように印刷ジョブＪＢを実行する順序を決定して、第１制御部１３が各印刷ジョブＪＢを実行して処理が終了する。
後処理装置２におけるジャムの発生を示すエラーが発生していないと第１制御部１３が判定した場合（ステップＳ１２５でＮＯ）には、処理がステップＳ１２９に進む。
そして、ステップＳ１２９において、第１決定部１３４は、後処理装置２におけるエラーが発生中であっても実行可能な印刷ジョブＪＢを優先して実行するように、印刷ジョブＪＢを実行する順序を決定して、第１制御部１３が各印刷ジョブＪＢを実行して処理が終了する。
【００７４】
以上、図１〜図３、図５、図９及び図１０を参照して説明したように、本発明の実施形態では、第１決定部１３４は、用紙Ｐの残枚数ＲＮと、後処理装置２におけるエラーの発生状況とに基づいて、第１ジョブＪＢ１と第２ジョブＪＢ２との実行する順序を決定する。よって、第１ジョブＪＢ１と第２ジョブＪＢ２との実行する順序を更に適正に決定できる。したがって、画像形成装置１の印刷効率の低下を更に抑制できる。
【００７５】
なお、本発明の実施形態では、第１決定部１３４は、用紙Ｐの残枚数ＲＮと、後処理装置２におけるエラーの発生状況とに基づいて、第１ジョブＪＢ１と第２ジョブＪＢ２との実行する順序を決定するが、本発明はこれに限定されない。第１決定部１３４が、用紙Ｐの残枚数ＲＮと、後処理装置２におけるエラーの発生状況との少なくとも一方に基づいて、第１ジョブＪＢ１と第２ジョブＪＢ２との実行する順序を決定すればよい。例えば、第１決定部１３４が、用紙Ｐの残枚数ＲＮに基づいて、第１ジョブＪＢ１と第２ジョブＪＢ２との実行する順序を決定してもよい。また、例えば、第１決定部１３４が、後処理装置２におけるエラーの発生状況に基づいて、第１ジョブＪＢ１と第２ジョブＪＢ２との実行する順序を決定してもよい。
【００７６】
次に、図１〜図３、図５及び図１１を参照して、第１制御部１３の処理について更に説明する。図１１は、印刷ジョブＪＢの受付順と実行順との一例を示す図である。図１１の上段は、印刷ジョブＪＢの受付順を示す。印刷ジョブＪＢは、第１ジョブＪＢ１と第２ジョブＪＢ２とを含む。
【００７７】
図１１の上段のジョブ欄に示すように、印刷ジョブＪＢは、ジョブＪＢ５１と、ジョブＪＢ５２と、ジョブＪＢ５３とから構成される。種別欄に示すように、ジョブＪＢ５１とジョブＪＢ５２とは、第１ジョブＪＢ１であり、ジョブＪＢ５３は、第２ジョブＪＢ２である。枚数欄に示すように、ジョブＪＢ５１の処理枚数は３枚であり、ジョブＪＢ５２の処理枚数は３枚であり、ジョブＪＢ５３の処理枚数は１枚である。また、備考欄に示すように、印刷ジョブＪＢは、ジョブＪＢ５１〜ジョブＪＢ５３の処理を３回繰り返して、３部の印刷物を生成するジョブを示す。
【００７８】
図１１では、給送カセット１１の残枚数ＲＮは１１枚である。
【００７９】
図１１の中段は、第１ケースにおける印刷ジョブＪＢの実行順の一例を示す。第１ケースでは、印刷物の部数を優先する。具体的には、図１１の中段の実行回数欄に示すように、第１決定部１３４は、ジョブＪＢ５１を２回実行した後、ジョブＪＢ５２を１回実行し、その後、ジョブＪＢ５３を２回実行するように、ジョブＪＢ１１〜ジョブＪＢ１３を実行する順序を決定する。
【００８０】
このように、ジョブＪＢ１１〜ジョブＪＢ１３を実行する順序を決定することによって、ジョブＪＢ１１〜ジョブＪＢ１３の各々の処理が少なくとも１回実行され、所望する印刷物が１部生成できる。
【００８１】
図１１の下段は、第２ケースにおける印刷ジョブＪＢの実行順の一例を示す。第２ケースでは、ジョブＪＢ５１の実行を優先する。具体的には、図１１の下段の実行回数欄に示すように、第１決定部１３４は、ジョブＪＢ５１を３回実行した後、ジョブＪＢ５３を２回実行するように、ジョブＪＢ５１〜ジョブＪＢ５３を実行する順序を決定する。
【００８２】
このように、ジョブＪＢ５１〜ジョブＪＢ５３を実行する順序を決定することによって、ジョブＪＢ５１の処理を３回実行完了できる。
【００８３】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００８４】
（１）図１〜図３を参照して説明したように、画像形成装置１は、電子写真方式で用紙Ｐに画像を形成するが、本発明はこれに限定されない。画像形成装置１が用紙Ｐに画像を形成すればよい。例えば、画像形成装置１がインクジェット記録装置でもよい。
【００８５】
（２）図１〜図３を参照して説明したように、後処理装置２がパンチャー２２、ステープラー２４及び中折り処理部２７を備えるが、本発明はこれに限定されない。後処理装置が後処理を実行する形態であればよい。例えば、後処理装置がパンチャー、ステープラー及び中折り処理部のうちの少なくとも１つを備える形態でもよい。
【産業上の利用可能性】
【００８６】
本発明は、画像形成装置、及び画像形成システムに関するものであり、産業上の利用可能性を有する。
【符号の説明】
【００８７】
１００    画像形成システム
１    画像形成装置
１１    給送カセット
１２    画像形成部
１３    第１制御部
１３Ａ    プロセッサー
１３Ｂ    記憶部
１３１    受付部
１３２    第１判定部
１３３    第２判定部
１３４    第１決定部
１３５    第２決定部
２    後処理装置
２２    パンチャー
２３    退避ドラム
２４    ステープラー
２６    第２後処理排出部
２６２    第２排出トレイ
２７    中折り処理部
２８    第２制御部
２８Ａ    プロセッサー
２８Ｂ    記憶部
ＪＢ    印刷ジョブ
ＪＢ１    第１ジョブ
ＪＢ２    第２ジョブ
Ｐ    用紙（記録媒体）
ＲＮ    残枚数
【図１】
2019155723.tif 000003
【図２】
2019155723.tif 000004
【図３】
2019155723.tif 000005
【図４】
2019155723.tif 000006
【図５】
2019155723.tif 000007
【図６】
2019155723.tif 000008
【図７】
2019155723.tif 000009
【図８】
2019155723.tif 000010
【図９】
2019155723.tif 000011
【図１０】
2019155723.tif 000012
【図１１】
2019155723.tif 000013